(57)【要約】【課題】洗剤量や噴射エネルギーを増加させることなく、洗浄性能を高める。【解決手段】食器等の被洗浄物を収容する洗浄槽と、前記洗浄槽へ給水する給水弁と、洗浄水を加圧する洗浄ポンプと、前記洗浄ポンプで加圧された洗浄水を噴射する洗浄ノズルと、前記洗浄ノズルから噴射する洗浄水の洗剤濃度より高い濃度の洗浄水を生成する高濃度洗浄水生成手段と、前記高濃度洗浄水生成手段で生成した洗浄水を微粒化し前記被洗浄物に付着させる洗浄水微粒化手段とを備え、前記高濃度洗浄水生成手段は、前記洗浄槽と連通し前記洗浄槽に給水された水の一部が前記高濃度洗浄水生成手段に流入して高濃度洗浄水が生成されるようにしたものである。【選択図】図１
2007283125.tif 000002
【特許請求の範囲】
【請求項１】
食器等の被洗浄物を収容する洗浄槽と、前記洗浄槽へ給水する給水弁と、洗浄水を加圧する洗浄ポンプと、前記洗浄ポンプで加圧された洗浄水を噴射する洗浄ノズルと、前記洗浄ノズルから噴射する洗浄水の洗剤濃度より高い濃度の洗浄水を生成する高濃度洗浄水生成手段と、前記高濃度洗浄水生成手段で生成した洗浄水を微粒化し前記被洗浄物に付着させる洗浄水微粒化手段とを備え、前記高濃度洗浄水生成手段は、前記洗浄槽と連通し前記洗浄槽に給水された水の一部が前記高濃度洗浄水生成手段に流入して高濃度洗浄水が生成されるようにした食器洗い機。
【請求項２】
高濃度洗浄水生成手段は、洗浄槽に給水された水の一部が入り込む隙間を有し、前記洗浄槽への給水により前記隙間から前記高濃度洗浄水生成手段に入り込むようにした請求項１記載の食器洗い機。
【発明の詳細な説明】
【技術分野】
【０００１】
本発明は、洗浄水を用いて食器等を洗浄する食器洗い機に関するものである。
【背景技術】
【０００２】
従来、この種の食器洗い機は、図１３に示すような構成であった（例えば、特許文献１参照）。以下、その構成について説明する。図に示すように、食器等の被洗浄物を収容する洗浄槽１と、洗浄槽１を開閉する蓋体２と、洗浄槽１へ給水を行う給水弁３と、洗浄水を加圧する洗浄ポンプ４と、洗浄水を噴射する噴射口を有する噴射手段５とを備えており、使用者は、被洗浄物を洗浄槽１内にセットし、洗剤を洗浄槽１内に投入し、蓋体２を閉じてから、運転を開始する。
【０００３】
運転開始後は、まず給水弁３を開いて洗浄槽１内に給水し、洗浄槽１の底部に水を溜め、所定水量を供給後、給水弁３を閉じ、洗浄ポンプ４が運転される。なお、洗剤は水に溶けて洗浄水となり、洗浄ポンプ４により加圧された洗浄水は、噴射手段５から被洗浄物に対して噴射され、被洗浄物は洗浄されるようになっていた。
【特許文献１】特開２００３−３３９６０７号公報
【発明の開示】
【発明が解決しようとする課題】
【０００４】
しかしながら、従来の食器洗い機では、所定の洗剤量と水量により得られた洗浄水を噴射して洗浄を行うが、全ての汚れに対して万能ではなく、口紅やひどい茶渋など完全に洗い落とすことが困難な汚れもある。このことは、取扱説明書などに記載されており、使用者にはあらかじめスポンジ等で手洗いして頂くように、お願いしていた。
【０００５】
このような汚れを洗い落とすためには、洗剤濃度を増加させたり、洗浄水の圧力など噴射のエネルギーを増加するなどの必要性があった。洗剤濃度を高めるには多くの洗剤を投入する必要があり、洗剤使用量が増大するという課題を有していた。また、洗浄水の噴射エネルギーを高めると、使用水量や消費電力量が増加するため、経済性が悪化したり、洗浄騒音が大きくなるなどの課題も有していた。
【０００６】
本発明は、前記従来の課題を解決するもので、洗剤量や噴射エネルギーを増加させることなく、洗浄性能を高めることを目的とする。
【課題を解決するための手段】
【０００７】
前記従来の課題を解決するために、本発明の食器洗い機は、食器等の被洗浄物を収容する洗浄槽と、前記洗浄槽へ給水する給水弁と、洗浄水を加圧する洗浄ポンプと、前記洗浄ポンプで加圧された洗浄水を噴射する洗浄ノズルと、前記洗浄ノズルから噴射する洗浄水の洗剤濃度より高い濃度の洗浄水を生成する高濃度洗浄水生成手段と、前記高濃度洗浄水生成手段で生成した洗浄水を微粒化し前記被洗浄物に付着させる洗浄水微粒化手段とを備え、前記高濃度洗浄水生成手段は、前記洗浄槽と連通し前記洗浄槽に給水された水の一部が前記高濃度洗浄水生成手段に流入して高濃度洗浄水が生成されるようにしたものである。これにより、アルカリ、界面活性剤、漂白剤等の洗剤成分が、従来より高い濃度で汚れに対して作用し、強力に汚れを除去することができる。
【発明の効果】
【０００８】
本発明の食器洗い機は、洗剤量や噴射エネルギーを増加させることなく、洗浄性能を高めることができる。
【発明を実施するための最良の形態】
【０００９】
第１の発明は、食器等の被洗浄物を収容する洗浄槽と、前記洗浄槽へ給水する給水弁と、洗浄水を加圧する洗浄ポンプと、前記洗浄ポンプで加圧された洗浄水を噴射する洗浄ノズルと、前記洗浄ノズルから噴射する洗浄水の洗剤濃度より高い濃度の洗浄水を生成する高濃度洗浄水生成手段と、前記高濃度洗浄水生成手段で生成した洗浄水を微粒化し前記被洗浄物に付着させる洗浄水微粒化手段とを備え、前記高濃度洗浄水生成手段は、前記洗浄槽と連通し前記洗浄槽に給水された水の一部が前記高濃度洗浄水生成手段に流入して高濃度洗浄水が生成されるようにしたことにより、高濃度洗浄水を微粒化して被洗浄物に付着させるので、アルカリ、界面活性剤、漂白剤等の洗剤成分が、従来より高い濃度で汚れに対して作用し、強力に汚れを除去することができ、洗剤量や噴射エネルギーを増加させることなく、洗浄性能を高め、従来洗えなかった汚れも除去することができる。これにより、使用者の下洗い作業を軽減できる。
【００１０】
第２の発明は、特に、第１の発明の高濃度洗浄水生成手段は、洗浄槽に給水された水の一部が入り込む隙間を有し、前記洗浄槽への給水により前記隙間から前記高濃度洗浄水生成手段に入り込むようにしたものである。
【００１１】
以下、本発明の実施の形態について図面を参照しながら説明する。なお、本実施の形態によって本発明が限定されるものではない。
【００１２】
（実施の形態１）
図１は、本発明の第１の実施の形態における食器洗い機の主要断面図である。図において、食器洗い機本体２０には、扉２１で開閉可能な洗浄槽２２を設け、食器等の被洗浄物２３は食器かご２４にセットされ、洗浄槽２２内に収容する。給水弁２５は洗浄槽２２に洗浄水を供給する。洗浄ポンプ（第１の洗浄手段）２６は洗浄水を加圧して、複数の噴射孔を設けた洗浄ノズル２７に供給し、洗浄ノズル２７より洗浄水を噴射することで第１の洗浄を行う。
【００１３】
洗浄槽２２の底部には、洗浄ポンプ２６の吸い込み側へ連通した排水口２８を有し、この排水口２８には残さいを収集する残さいフィルタ２９と加熱用の発熱体３０を設け、洗浄槽２２の温度を検知する温度センサ３１を設けている。排水ポンプ３２は洗浄槽２２内の洗浄水を排出するものである。送風機３３は、送風経路３４を通して洗浄槽２２に空気を送り、その排気を排気口３５より排出するようにしている。
【００１４】
洗浄槽２２の開口部の前縁部内側に高濃度の洗浄水をつくり出すための高濃度洗浄水生成手段３６と、そこで生成された洗浄水を微粒化して飛散させる洗浄水微粒化手段（第２の洗浄手段）３７を備えており、第２の洗浄を行う。また、高濃度洗浄水生成手段３６に給水するための第２の給水弁３８と使用者が洗剤を投入する洗剤投入部３９を設置している。
【００１５】
食器洗い機の基本動作としては、食器等の被洗浄物２３を食器かご２４にセットして洗浄槽２２に収納し、洗剤を投入した後、扉２１により食器洗浄機本体２０の開口部を閉塞し、運転を開始する。被洗浄物２３の汚れを落とす洗浄工程、付着した洗剤や残菜を流すすすぎ工程、そして被洗浄物２３に付着している水適を乾燥させる乾燥工程の順に実行する。
【００１６】
本発明の特徴的な工程である洗浄工程の動作、作用について説明する。まず、使用者は、洗剤を所定の洗剤投入部３９に投入し、その洗剤は高濃度洗浄水生成手段３６に入る。図２は、高濃度洗浄水生成手段３６の断面図であり、図のように、直接、高濃度洗浄水生成手段３６内に使用者が投入する構成や、通路を介して搬送される構成、扉の閉塞動作に連動して搬送される構成など様々な構成が考えられるが、いずれにしても高濃度洗浄水生成手段３６内に洗剤が入ればよい。使用者に所定の場所に洗剤を入れていただくためには、洗剤投入部３９に、「洗剤入れ」などと記載したり、周りの部分とは色を変えることも有効な手段である。
【００１７】
扉２１を閉塞し、運転をスタートすると、まず第２の洗浄手段による洗浄が行われる。第２の給水弁３８が動作し、高濃度洗浄水生成手段３６に給水され、給水の水流で洗剤は溶解し、高い濃度の洗浄水を生成する。この際、高濃度洗浄水生成手段３６では、洗剤を２０から２００ｃｃ程度の水、好ましくは２０から１００ｃｃ程度の水に溶解する。従来通り洗浄ポンプ（第１の洗浄手段）で洗浄水を循環して洗浄する場合は、２．５Ｌから４Ｌ程度の水に洗剤を溶解することから、高濃度洗浄水生成手段３６では、第１の洗浄手段で洗浄する時の洗浄水の洗剤濃度より、１０倍から１００倍程度の洗浄水を生成する。
【００１８】
投入された洗剤を完全に溶解することで、洗浄水の濃度は最大となるが、給水経路の出口４０を絞って水流の流速を高めることや、高濃度洗浄水生成手段３６の底部に給水経路の出口４０を設けて洗剤が撹拌する形状にすることなどで、この溶解率を向上させることができる。あるいは、洗剤溶解手段を設けることも効果的であり、図３のように回転部を備えた撹拌手段（洗剤溶解手段）４１や、水温を上げるヒータなどの昇温手段（図示せず）などが考えられる。
【００１９】
なお、洗浄槽２２内を加熱するための発熱体３０を昇温手段（洗剤溶解手段）として利用することもでき、部品の追加なしで、第２の洗浄における洗浄水の洗剤濃度を高めることができる。なお、高濃度洗浄水生成手段３６内に洗剤の一部が溶け残ったとしても、洗浄効果を発揮する所定濃度の洗浄水が得られれば問題はない。
【００２０】
次に、洗浄水微粒化手段３７により高濃度洗浄水生成手段３６で生成された高濃度の洗浄水を洗浄槽２２内に飛散させ、被洗浄物２３に洗浄水を付着させる。本実施の形態では、図２のように、洗浄水微粒化手段３７として超音波振動子４３を用いている。超音波振動子４３を振動させ、高濃度洗浄水生成手段３６の洗浄水に振動を伝えることで洗浄水を霧化させ、洗浄水を洗浄槽２２内に飛散させることができる。従来と異なり、洗浄水を微粒化して飛散させることから、洗浄水が１００ｃｃ以下の極めて少ない水量の場合でも、被洗浄物の表面全体に付着させることが可能であり、非常に高濃度の洗浄水を利用できる。
【００２１】
なお、微粒化した洗浄水の粒径は、特に問わないが、洗浄槽２２の全体に行き渡らせるためには、１００μｍ以下の小さい粒径であることが望ましく、２０μｍ以下とすれば、洗浄槽内に微粒子が漂うような状態を作り出すことができ、被洗浄物の表面の全体に行き渡らせることができる。
【００２２】
以上のように、従来の洗浄水の洗剤濃度よりも数倍から１００倍といった極めて高濃度の洗浄水を汚れに対して作用させることで、洗剤の強力な作用で汚れと反応したり、食器表面から汚れを浮かせたりするなど、飛躍的に洗浄性能を高めることができ、従来洗えなかった口紅やひどい茶渋なども洗浄可能となる。また、洗浄力が向上したことで、洗浄時間を短縮したり、洗浄温度を低下させ、省エネを図ることもできる。
【００２３】
基本的には、洗剤濃度が高いほど、汚れを落とす力は強くなるため、洗浄水の濃度は高いほどよい。もし、高濃度で洗浄を阻害する要因があったとしても、後で行う第１の洗浄では従来と同等の洗剤濃度で洗浄されるため、特に問題は生じない。なお、従来と同等の水量を用いてこれだけの高濃度の洗浄水を生成するには、数倍から１００倍といった大量の洗剤を使用する必要があり、経済的にも地球環境の視点からも好ましくないことは言うまでもない。
【００２４】
飛散させた洗浄水を食器全体に付着させるための飛散粒子駆動手段４４を設けることで、より高い洗浄効果を得ることができる。例えば、図３のように、洗浄槽２２内の空気を移動させるモータ駆動の送風手段４４を設けたり、加熱による自然対流を利用して洗浄槽２２内の空気を対流させる手段などが考えられる。例えば、洗浄槽２２内を加熱するための発熱体３０を飛散粒子駆動手段４４として利用することもでき、連続あるいは断続的に加熱することで洗浄槽２２内の空気を撹拌させ、洗浄水の食器への付着を促進させることができる。
【００２５】
また、第２の洗浄手段による洗浄には、液体状の洗剤を用いれば、洗剤の水への溶解速度が速いため、容易に高濃度の洗浄水を生成することができる。
【００２６】
第２の洗浄手段による洗浄を所定時間行った後は、給水弁２５を開き、洗浄槽２２内に所定量の洗浄水を供給し、洗浄ポンプ（第１の洗浄手段）２６を運転して、洗浄水を洗浄ノズル２７より噴射し、第１の洗浄を実行する。この際、高濃度洗浄水生成手段３６内に残った洗浄水や洗剤は、第１の洗浄手段で用いる洗浄水と混合させるようにしている。図２等では、排水のための排水弁４５を設けているが、特に電気的な駆動手段を用いなくとも、洗浄ノズル２７により噴射された洗浄水が、高濃度洗浄水生成手段３６内に入り込み、あふれ出るような形状とすることでも、目的を達成できる。
【００２７】
第１の洗浄手段では、洗浄水を噴射させ機械力を汚れに対して作用させることで、こびり付きなど機械力が大きく洗浄に寄与する汚れに対しても十分な洗浄性能を得ることができる。また、先行して行った第２の洗浄で、洗剤の化学力が作用することで食器から剥離した汚れや、付着力が弱まったものの完全に除去しきれなかった汚れを取り除くことが可能となる。
【００２８】
なお、従来と同等の第１の洗浄手段のみを用いて強力な洗浄性能を得る場合には、洗浄ポンプ２６の水圧を上げるなど、高いエネルギーを加える必要があり、経済的にも、大きさ的にも、また運転音も増大するなど、好ましくないが、第１と第２に洗浄を併用することで、従来と同等の洗浄ポンプ、洗剤量で、従来よりも高い洗浄性能を得ることができる。
【００２９】
第１の洗浄手段による洗浄では、従来と同様に、洗浄槽２２内に設けたシーズヒータ等の発熱体３０に通電しており、洗浄水を加温しながら行われる。また、温度センサ３１は洗浄槽２２の温度を検知しており、所定温度以上になると発熱体３０への通電を停止する。
【００３０】
洗浄水は、残さいフィルタ２９を通過して洗浄ポンプ２６に吸い込まれ、洗浄ポンプ２６より洗浄槽２２に設けた洗浄ノズル２７に供給されて、洗浄槽２２内に噴射され、食器２３を洗浄した後、再び排水口２８に戻るという経路で循環する。この際、食器２３から脱落した残さい等は、洗浄水とともに残さいフィルタ２９に流入し、残さいフィルタ２９を通過できない大きさの残さいは残さいフィルタ２９に捕集される。
【００３１】
所定の洗浄を終えると、汚れを含む洗浄水は排水ポンプ３２により機外に排出され、洗浄工程は終了する。続いて、新たに洗浄水が供給され、洗浄ポンプ２６を運転し、洗浄ノズル２７から再び洗浄水を噴射して、洗剤や残菜等の付着した被洗浄物２３のすすぎ工程を行う。所定時間運転した後、洗浄水を排出し、再び洗浄水を供給するという動作を繰り返し、このすすぎ工程は連続して３回程度行う。最後に、洗浄水を機外に排出して、すすぎ工程は終了する。
【００３２】
続いて乾燥工程を行い、送風機３３を動作させることにより、送風経路３４を通って外気が洗浄槽２２内に送風され、排気口３５から排出される。この際、発熱体３０には通電されており、送風と温度の両方の効果によって被洗浄物２３に付着した水滴の蒸発は促進される。所定時間これらの乾燥工程を行い、運転を終了する。
【００３３】
なお、本実施の形態の運転シーケンスでは、第２の洗浄を第１の洗浄より先に行うようにしたが、まず、高い洗剤濃度の洗浄水により汚れを浮かせ、次に、洗浄ポンプ２６による機械力のある洗浄を行うことで、厚みの薄い汚れに対して特に効率的な洗浄を行うことができるが、すべての汚れに対して、従来よりも高い洗浄力が得られることは言うまでもない。
【００３４】
また、第１と第２の洗浄手段の間は、給水弁２５により自動で給水するだけで、洗浄水の濃度を変化させることができ、運転の途中で使用者が洗剤を追加投入するなどの操作の必要はない。
【００３５】
なお、第２の洗浄手段は、高濃度の洗浄水を微粒化して被洗浄物に付着させる構成であるが、本発明はこの第２の洗浄手段の構成そのものを限定するものではなく、高濃度洗浄水生成手段３６や洗浄水微粒化手段３７などの構成は、いかなるものであっても効果を発揮する。例えば、図４のようにエアポンプ４６を用いて高速の空気の流れと洗浄水を混合して洗浄水を微粒化するものや、図５のように水を蒸発させるボイラ４７を用いて高速の水蒸気の流れと洗浄水を混合して洗浄水を微粒化するものなど、種々のものなどが考えられる。
【００３６】
また、第２の洗浄手段は、洗浄水を微粒化する構成に限定するものではなく、図６のように洗浄槽の上部より被洗浄物に対して少量の洗浄水を全体に落下させる構成であったり、洗浄ポンプを低速運転させたり間欠運転させることで、第１の洗浄手段よりも少量の水で生成した洗浄水を噴射させることでも、この洗浄を実現することができる。
【００３７】
また、第１の洗浄手段で用いる洗浄ノズルの配置や個数、回転ノズル等の形態を限定するものでもなく、洗浄槽の底部以外に背面や側面、天面等に配置することで高い洗浄性能を得ることもできる。また、すべての洗浄ノズルから同時に洗浄水を噴射するのではなく、洗浄ポンプと洗浄ノズルの間に、洗浄水の流路を切り替える分水手段を用い、洗浄水を順次噴射させることで、少水量で第１の洗浄手段を動作することも可能である。
【００３８】
また、洗浄槽の全部ないし一部をポリプロピレン等の樹脂製とした場合には、その樹脂部分にも第２の洗浄手段による洗浄で、従来より高い洗剤濃度の洗浄水が付着するため、洗浄槽の壁面の洗浄性能も向上し、被洗浄物から脱落した汚れによって変色しやすい樹脂製の場合でも、その変色等を防止、抑制することができる。
【００３９】
また、給水弁は、給水弁２５と第２の給水弁３８の２個を用いたが、一個の給水弁で構成することも可能である。例えば、図７のように、高濃度洗浄水生成手段３６に給水する第２の給水弁３８のみを用いて、まず、第２の洗浄手段による洗浄の前には所定の第２の洗浄に必要な少量の所定水量だけを給水し、第２の洗浄終了後は、同じく第２の給水弁３８から給水し、高濃度洗浄水生成手段３６からオーバーフローさせることで洗浄槽２２に給水する。第１の洗浄に必要な所定水量を供給後、洗浄ポンプ２６を駆動して、第１の洗浄を行う。一方、洗浄槽２２に供水する給水弁２５だけを用いることも可能である。
【００４０】
図８（主要断面図）、図９（高濃度洗浄水生成手段３６を上から見た図）のように、高濃度洗浄水生成手段３６の壁面に隙間４８を設けておき、洗浄槽２２に給水された水の一部が、高濃度洗浄水生成手段３６に入り込む構成としておけば、洗浄槽２２への給水と同時に高濃度洗浄水生成手段３６にも洗浄水が入り込み、まず高濃度洗剤を微粒化する第２の洗浄を行う。第２の洗浄終了後は、すでに洗浄槽２２に洗浄水は給水されていることから、続いて第１の洗浄を行うことができる。
【００４１】
なお、高濃度洗浄水生成手段３６の壁面の一部に隙間４８を設けていることで、高濃度の洗浄水が流出し、濃度が薄まる可能性があるが、所定濃度の洗浄水が得られれば問題はない。また、第１と第２の洗浄の間では追加で給水を行う場合も、行わない場合もありうる。
【００４２】
本発明は、食器洗い機の洗浄方式に関するものであり、食器洗い機本体２０の形状や大きさ、扉２１の開閉方式、食器の配置、個々の部品の配置等を限定するものではない。また、実施の形態１では、乾燥機能を有する食器洗い乾燥機の例を示したが、乾燥機能を伴わない食器洗い機においても同様の効果が得られる。
【００４３】
（実施の形態２）
図１０は、本発明の第２の実施の形態の食器洗い機の拡大断面図である。基本的な構成は図１と同様であるが、使用者が洗剤を投入する洗剤投入部を２ヶ所設置している。第１の実施の形態と同様に、高濃度洗浄水生成手段３６内に洗剤を入れるための洗剤投入部３９と、洗浄槽２２内に洗剤を入れるための第２の洗剤投入部４９がある。
【００４４】
使用者は、洗剤投入部３９と第２の洗剤投入部４９に、それぞれ洗剤を投入する。洗浄は、第２の洗浄の前に、第１の洗浄を行うようになっている。まず、給水弁２５を動作して、洗浄槽２２に洗浄水を所定量供給後、洗浄ポンプ２６を運転して、洗浄水を洗浄ノズル２７から噴射して被洗浄物２３に付着した汚れを除去する。この際、噴射された洗浄水は高濃度洗浄水生成手段３６には入り込まない構成となっている。
【００４５】
第１の洗浄工程終了後、第２の給水弁３８を動作して高濃度洗浄水生成手段３６に少量の水を所定量供給し、第２の洗浄が行われる。第１および第２の洗浄における水量や洗剤濃度との関係、作用や効果については、第１の実施の形態に示した内容と同一であるが、第１と第２の洗浄工程の順序が逆である。
【００４６】
このため、まず洗浄ポンプによる噴射など機械力による洗浄を行うことで大きな付着物を除去しておき、次に高い洗剤濃度の洗浄水を作用させることで、食器表面にこびり付いた機械力ではなかなか洗い落とせない汚れを強力な化学力で完全に除去することが可能となり、洗浄性能が向上する。特に、厚みの厚い汚れに対して効率的な洗浄が行える。第２の洗浄の後は、第１の実施の形態と同様に、洗浄、乾燥の工程が行われ、運転を終了する。
【００４７】
なお、第２の洗剤投入部４９は設置せずに、洗浄槽２２に直接洗剤を投入する形態でもかまわない。また、一個の洗剤投入部３９だけを設けて、通路が２分されており、高濃度洗浄水生成手段３６と洗浄槽２２の両方に自動的に洗剤が入り込む構成も考えられ、使用者の手間低減を図ることができる。
【００４８】
（実施の形態３）
図１１は、本発明の第３の実施の形態の食器洗い機の洗浄工程の運転シーケンス図である。装置の構成は図１と同様である。
【００４９】
第２の洗浄手段３７による洗浄の途中で、再び第２の給水弁３８により高濃度洗浄水生成手段３６に水を供給し、はじめの洗浄水の洗剤濃度よりもやや薄い濃度の洗浄水を生成する。ただし、第１の洗浄工程の濃度よりも高い濃度に設定している。洗浄性能を上げるためには、より高濃度の洗浄水を用いればよいが、例えば水量が３０ｃｃ程度の極めて少ない水量になってしまい、その洗浄水だけを用いて被洗浄物全体に均一に洗浄水を付着させることは困難である。このため、強力に洗浄したい部分だけに高濃度の洗浄水をまず付着させ、次に再度給水した後の多量の洗浄水を飛散させることで、洗浄槽２２内の隅々まで洗浄水を噴射させるなど、強力洗浄と、均一洗浄の両立を図ることができる。
【００５０】
（実施の形態４）
図１２は、本発明の第４の実施の形態の食器洗い機の洗浄工程の運転シーケンス図である。装置の構成は図１と同様である。
【００５１】
第１の洗浄工程の途中で、再び給水弁２５により洗浄槽２２に水を供給することで、水量を違えた洗浄を行う。第１の洗浄工程のはじめは、やや高度の濃い洗浄水により洗浄を行う。ただし、水量が少な目であるため洗浄ポンプ２６の回転数を抑止したり、間欠運転を行うなどの制御を同時に行う。これにより噴射のエネルギー自体は低下するものの、濃い濃度の洗浄水で洗浄ノズル２７から加圧された洗浄水を噴射しながら洗浄を行うことができ、従来より洗剤濃度の高い洗浄水で洗浄する工程を設けることで、洗剤の化学力と噴射の機械力の両方が作用して、高い洗浄力が得られる。
【産業上の利用可能性】
【００５２】
以上のように、本発明にかかる食器洗い機は、洗剤量や噴射エネルギーを増加させることなく、洗浄性能を高めることが可能になるので、食器以外の洗浄機にも適用できる。
【図面の簡単な説明】
【００５３】
【図１】本発明の実施の形態１の食器洗い機の主要断面図
【図２】同食器洗い機の部分断面図
【図３】同実施の形態１の他の食器洗い機の部分断面図
【図４】同実施の形態１の他の食器洗い機の部分断面図
【図５】同実施の形態１の他の食器洗い機の部分断面図
【図６】同実施の形態１の他の食器洗い機の主要断面図
【図７】同実施の形態１の他の食器洗い機の主要断面図
【図８】同実施の形態１の他の食器洗い機の主要断面図
【図９】同実施の形態１の他の食器洗い機の部分詳細図
【図１０】本発明の実施の形態２の食器洗い機の部分主要断面図
【図１１】本発明の実施の形態３の食器洗い機の洗浄工程の運転シーケンス図
【図１２】本発明の実施の形態４の食器洗い機の洗浄工程の運転シーケンス図
【図１３】従来の食器洗い機の主要断面図
【符号の説明】
【００５４】
２２  洗浄槽
２５  給水弁
２６  洗浄ポンプ
２７  洗浄ノズル
３６  高濃度洗浄水生成手段
３７  洗浄水微粒化手段
４８  隙間
【図１】
2007283125.tif 000003
【図２】
2007283125.tif 000004
【図３】
2007283125.tif 000005
【図４】
2007283125.tif 000006
【図５】
2007283125.tif 000007
【図６】
2007283125.tif 000008
【図７】
2007283125.tif 000009
【図８】
2007283125.tif 000010
【図９】
2007283125.tif 000011
【図１０】
2007283125.tif 000012
【図１１】
2007283125.tif 000013
【図１２】
2007283125.tif 000014
【図１３】
2007283125.tif 000015